(57)【特許請求の範囲】
【請求項１】
撮像レンズを有するカメラ本体と、前記撮像レンズによる撮像画像をユーザに観察させる電子ビューファインダーと、を備えるディジタルカメラにおいて、
前記電子ビューファインダーは、
前記撮像画像を表示する画像表示部と、
該画像表示部を第１の回転軸回りに回転可能に支持する旋回ブラケットと、
前記カメラ本体部と前記旋回ブラケットとを連結し、前記旋回ブラケットを前記第１の回転軸に垂直な第２の回転軸回りに回転可能に支持する固定ブラケットと、
前記画像表示部と前記旋回ブラケットとの同時回転を規制する同時回転規制機構と、
を備え、
前記同時回転規制機構は、
前記画像表示部の接眼レンズの前記第１の回転軸を挟んだ反対側に配置された嵌入部と、
前記固定ブラケットの一部を切り欠いて形成され、前記画像表示部が前記第１の回転軸回りに回転した際に前記嵌入部が嵌入する凹部と、
で構成されていることを特徴とするディジタルカメラ。
【請求項２】
前記旋回ブラケットの前記第２の回転軸回りの回転範囲を規制する過回転規制機構を備えていることを特徴とする請求項１記載のディジタルカメラ。
【請求項３】
前記過回転規制機構は、
前記旋回ブラケット又は前記固定ブラケットの一方に形成された扇状のストッパ溝と、
前記旋回ブラケット又は前記固定ブラケットの他方に取り付けられて、前記ストッパ溝に嵌入されたストッパピンと、
で構成されていることを特徴とする請求項２記載のディジタルカメラ。
【発明の詳細な説明】
【技術分野】
【０００１】
本発明は、ディジタルカメラに関するものであって、特に、電子ビューファインダーを縦横に回転自在なディジタルカメラを提供する。
【背景技術】
【０００２】
従来より、ディジタルカメラでは、被写体の大きさ、向き等に応じて、撮影レンズの光軸を中心にカメラを回転させ、縦画面位置と横画面位置とを撮り分けられている。
【０００３】
しかしながら、極端に低い位置で撮影するために水平方向に近い位置にカメラの撮影レンズを向ける場合、所謂、ローアングル撮影においては、地面に寝そべらなくてはならないか、又は、９０度変換プリズム又は反射鏡をファインダに取り付けなければならないという問題を生ずる。
【０００４】
ところで、カメラ本体の背面に表示ディスプレイに配置されたディジタルカメラでは、ユーザが表示ディスプレイ上の撮像画像を視認して撮影を行う。また、屋外等の表示ディスプレイが視認し難い場所では、電子ビューファインダーを介して撮像画像を確認するのが一般的である。
【０００５】
特許文献１には、バリアングルモニタに対して垂直な回転軸回りに回転可能な電子ビューファインダーを備えたディジタルカメラが開示されている。特許文献１のバリアングルモニタは、ヒンジ部を介してカメラ本体に取り付けられており、第１回転軸、第３回転軸回りに回転可能である。電子ビューファインダーは、バリアングルモニタの端部に第２回転軸回りに回転可能に取り付けられている。
【先行技術文献】
【特許文献】
【０００６】
【特許文献１】特開２０１４−２０６６２６号公報
【発明の概要】
【発明が解決しようとする課題】
【０００７】
しかしながら、上述したようなディジタルカメラは、電子ビューファインダーがバリアングルモニタと連動して第１〜３回転軸回りに回転するため、電子ビューファインダーを所望の位置に移動させる作業が煩雑であるという問題があった。
【０００８】
そこで、ローアングル撮影の際に、ディジタルカメラの縦横の向きにかかわらず電子ビューファインダーを覗いて撮像画像を容易に確認するために解決すべき技術的課題が生じてくるのであり、本発明は、この課題を解決することを目的とする。
【課題を解決するための手段】
【０００９】
本発明は上記目的を達成するために提案されたものであり、請求項１記載の発明は、撮像レンズを有するカメラ本体と、前記撮像レンズによる撮像画像をユーザに観察させる電子ビューファインダーと、を備えるディジタルカメラにおいて、前記電子ビューファインダーは、前記撮像画像を表示する画像表示部と、該画像表示部を第１の回転軸回りに回転可能に支持する旋回ブラケットと、前記カメラ本体部と前記旋回ブラケットとを連結し、前記旋回ブラケットを前記第１の回転軸に垂直な第２の回転軸回りに回転可能に支持する固定ブラケットと、前記画像表示部と前記旋回ブラケットとの同時回転を規制する同時回転規制機構と、を備え、前記同時回転規制機構は、前記画像表示部の接眼レンズの前記第１の回転軸を挟んだ反対側に配置された嵌入部と、前記固定ブラケットの一部を切り欠いて形成され、前記画像表示部が前記第１の回転軸回りに回転した際に前記嵌入部が嵌入する凹部と、で構成されているディジタルカメラを提供する。
【００１０】
この構成によれば、画像表示部は、第１の回転軸又は第２の回転軸回りに任意に回転することができる。すなわち、画像表示部が旋回ブラケットに対して相対的に回転することにより、画像表示部は第１の回転軸回りに回動することができる。また、旋回ブラケットが固定ブラケットに対して相対的に回転することにより、画像表示部は第２の回転軸回りに回動することができる。
【００１２】
また、同時回転規制機構は、画像表示部が第１の回転軸及び第２の回転軸回りに同時に回転することを規制することにより、ユーザの所望の回転軸回りに画像表示部が回転するため、画像表示部の位置調整を容易に行うことができる。
【００１４】
また、嵌入部が凹部に嵌入すると、旋回ブラケットが固定ブラケットに対して相対的に回転することが規制されるため、画像表示部が第１の回転軸回りに回転した状態で、更に第２の回転軸回りにも回転することが抑制される。
【００１５】
請求項２記載の発明は、請求項１記載のディジタルカメラの構成に加えて、前記旋回ブラケットの前記第２の回転軸回りの回転範囲を規制する過回転規制機構を備えているディジタルカメラを提供する。
【００１６】
この構成によれば、過回転規制機構が旋回ブラケットの回転範囲を規制することにより、画像表示部の回り過ぎが抑制されるため、画像表示部の位置調整を容易に行うことができる。
【００１７】
請求項３記載の発明は、請求項２記載のディジタルカメラの構成に加えて、前記過回転規制機構は、前記旋回ブラケット又は前記固定ブラケットの一方に形成された扇状のストッパ溝と、前記旋回ブラケット又は前記固定ブラケットの他方に取り付けられて、前記ストッパ溝に嵌入されたストッパピンと、で構成されているディジタルカメラを提供する。
【００１８】
この構成によれば、旋回ブラケットの回転範囲は、ストッパピンがストッパ溝内を移動可能な範囲に限定されるため、画像表示部の回り過ぎが抑制されるため、画像表示部の位置調整を容易に行うことができる。
【発明の効果】
【００１９】
本発明は、画像表示部が旋回ブラケットに対して相対的に回転することにより、画像表示部は第１の回転軸回りに回動することができる。また、旋回ブラケットが固定ブラケットに対して相対的に回転することにより、画像表示部は第２の回転軸回りに回動することができる。また、同時回転規制機構は、画像表示部が第１の回転軸及び第２の回転軸回りに同時に回転することを規制することにより、ユーザの所望の回転軸回りに画像表示部が回転するため、画像表示部の位置調整を容易に行うことができる。また、嵌入部が凹部に嵌入すると、旋回ブラケットが固定ブラケットに対して相対的に回転することが規制されるため、画像表示部が第１の回転軸回りに回転した状態で、更に第２の回転軸回りにも回転することが抑制される。
【図面の簡単な説明】
【００２０】
【図１】本発明の一実施例に係るディジタルカメラを示す正面図。
【図２】図１のディジタルカメラの一部切欠側面図。
【図３】電子ビューファインダーを示す組立分解図。
【図４】電子ビューファインダーを示す正面図。
【図５】図４の旋回ブラケットを示す平面図。
【図６】図４の固定ブラケットを示す平面図。
【図７】図１の画像表示部を第１の回転軸回りに回転させた状態を示す正面図。
【図８】画像表示部を第１の回転軸回りに回転させた状態の電子ビューファインダーを示す一部切欠正面図。
【図９】図２の画像表示部を第２の回転軸回りに回転させた状態を示す一部切欠側面図。
【発明を実施するための形態】
【００２１】
本発明は、ローアングル撮影の際に、ディジタルカメラの縦横の向きにかかわらず電子ビューファインダーを覗いて撮像画像を容易に確認するという目的を達成するために、撮像レンズを有するカメラ本体と、撮像レンズによる撮像画像をユーザに観察させる電子ビューファインダーと、を備えるディジタルカメラにおいて、電子ビューファインダーは、撮像画像を表示する画像表示部と、画像表示部を第１の回転軸回りに回転可能に支持する旋回ブラケットと、カメラ本体部と旋回ブラケットとを連結し、旋回ブラケットを第１の回転軸に垂直な第２の回転軸回りに回転可能に支持する固定ブラケットと、画像表示部と旋回ブラケットとの同時回転を規制する同時回転規制機構と、を備え、同時回転規制機構は、画像表示部の接眼レンズの第１の回転軸を挟んだ反対側に配置された嵌入部と、固定ブラケットの一部を切り欠いて形成され、画像表示部が第１の回転軸回りに回転した際に嵌入部が嵌入する凹部と、で構成されていることにより実現した。
【実施例】
【００２２】
以下、本発明の一実施例に係るディジタルカメラ１について、図面に基づいて説明する。図１は、ディジタルカメラ１を示す正面図である。図２は、ディジタルカメラ１の一部切欠側面図である。図３は、電子ビューファインダー３を示す組立分解図である。図４は、電子ビューファインダー３を示す正面図である。図５は、旋回ブラケット５を示す平面図である。図６は、固定ブラケット６を示す平面図である。なお、本実施例において、旋回ブラケット５に対して後述する画像表示部４を回転させる回転軸を第１の回転軸としての軸Ａとし、固定ブラケット６に対して旋回ブラケット５を回転させる回転軸を第２の回転軸としての軸Ｂとする。
【００２３】
図１及び２に示すように。本実施例に係るディジタルカメラ１は、撮像レンズ２ａを有するカメラ本体２と、撮像レンズ２ａによる撮像画像を表示する図示しない電子ディスプレイと、電子ビューファインダー３と、を備えている。なお、電子ディスプレイは、液晶ディスプレイ、有機ＥＬディスプレイ等である。
【００２４】
電子ビューファインダー３は、撮像画像を表示する画像表示部４を備えている。画像表示部４は、例えば、強誘電性反射型液晶（ＬＣＯＳ）や高温ポリシリコンＴＦＴ液晶（ＨＴＰＳ）等の表示素子を用いている。これらの表示素子は、超小型ながら高画素、高精細素子であり、開口比が大きく超小型の映像表示素子に適している。また、これらの表示素子は、光学式ファインダと比較して、暗所での視認性が優れていると共に、必要に応じて撮像画像を拡大表示することができる。
【００２５】
画像表示部４は、旋回ブラケット５及び固定ブラケット６を介して、カメラ本体２に取り付けられている。旋回ブラケット５と固定ブラケット６とは、ネジ７１とナット７２を介して同軸上に位置決めされている。画像表示部４は、筐体４１と、観察窓４２と、嵌入部４３と、軸部４４と、を備えている。筐体４１は、上述した表示素子を格納する。観察窓４２は、ユーザが撮像画像を視認する際に覗くものであり、接眼レンズが配置されている。嵌入部４３は、筐体４１の一部であり、軸Ａを挟んで観察窓４２の反対側に位置する。軸部４４は、軸Ａと一致するように筐体４１の両側面から突設しており、後述する旋回ブラケット５の軸支部５３に係合して支持されている。軸Ａの中心から嵌入部４３の先端までの回転半径ｒが、軸Ｂの高さｈより多く設定されている。
【００２６】
旋回ブラケット５は、平面視でＤ字状に形成されている。旋回ブラケット５の中心には、ネジ７１が挿通する孔５１が形成されている。旋回ブラケット５の一部には、矩形状の切欠部５２が形成されている。旋回ブラケット５の表面５ａには、切欠部５２の両端に軸支部５３が立設されている。旋回ブラケット５の裏面５ｂには、ストッパピン５４が立設されている。なお、符号５５は、画像表示部４を受ける緩衝用ゴムである。
【００２７】
固定ブラケット６は、平面視で円板状に形成されている。固定ブラケット６の中心には、ネジ７１を挿通する孔６１が形成されている。固定ブラケット６には、凹部６２が形成されている。固定ブラケット６には、中心角約９０°の扇状に形成されたストッパ溝６３が形成されている。固定ブラケット６は、ネジ７１を介してカメラ本体２に固着されている。
【００２８】
同時回転規制機構８は、嵌入部４３と、凹部６２とで、構成されている。同時回転規制機構８の具体的な作用は後述する。
【００２９】
過回転規制機構９は、ストッパピン５４と、ストッパ溝６３と、で構成されている。ストッパピン５４は、旋回ブラケット５の回転動作に応じてストッパ溝６３内を移動し、ストッパピン５４がストッパ溝６３の端部に当たると、旋回ブラケット５の回転動作が規制される。具体的には、ストッパ溝６３の一方端は、例えば、軸Ｂに対して図６の紙面上の右側に位置した状態で、ストッパピン５４が停止するように位置決めされ、ストッパ溝６３の他方端は、ストッパ溝６３に嵌入されたストッパピン５４が軸Ｂに対して図６の紙面上の下側に位置した状態で、ストッパピン５４が停止するように位置決めされている。したがって、ストッパピン５４の移動範囲は、平面視で略９０°に限定されている。なお、過回転規制機構９の構成は、上記のものに限定されず、ストッパピン５４が固定ブラケット６に設けられ、ストッパ溝６３が旋回ブラケット５に形成されるものであっても構わない。
【００３０】
次に、同時回転規制機構８の作用について図面に基づいて説明する。なお、以下では、図１に示すように、電子ビューファインダー３の光軸と撮像レンズ２ａの光軸とが平行な状態を「初期位置」と称す。図７は、図１の画像表示部４を軸Ａ回りに約９０°回転させた状態を示す正面図である。図８は、画像表示部４を軸Ａ回りに回転させた状態の電子ビューダインダー３を示す一部切欠正面図である。図９は、図２の画像表示部４を軸Ｂ回りに約９０°回転させた状態を示す一部切欠側面図である。
【００３１】
初期位置から画像表示部４が軸Ａ回りに回転し始めると、嵌入部４３が切欠部５２及び凹部６２内に嵌入する。図７、８に示すように、画像表示部４が軸Ａ回りに９０°回転すると、ディジタルカメラ１が横画面位置に対応する。また、嵌入部５２が切欠部５２を通過して凹部６２に進入することにより、旋回ブラケット５と固定ブラケット６との相対的な回転が嵌入部４３に干渉されて規制されるため、画像表示部４が軸Ａ回りに回転した状態で、旋回ブラケット５が更に軸Ｂ回りに回転することが規制されている。なお、図８では、旋回ブラケット５とネジ７１とを一体化させている。これにより、軸Ｂの中心を中空にして、その内部に電気配線を通すことができる。
【００３２】
初期位置から旋回ブラケット５が軸Ｂ回りに回転し始めると、ストッパピン５４がストッパ溝６３内をスライドする。図９に示すように、旋回ブラケット５が軸Ｂ回りに約９０°回転すると、ストッパピン５４がストッパ溝６３の端部に当接して、旋回ブラケット５のそれ以上の回転が規制される。旋回ブラケット５が軸Ｂ回りに回転することで、ディジタルカメラ１が縦画面位置に対応する。最終的に旋回ブラケット５は、約９０°旋回可能である。また、旋回ブラケット５が固定ブラケット６に対して相対的に回転することにより、嵌入部４３が凹部６２内に進入できないため、旋回ブラケット５が軸Ｂ回りに回転した状態で、画像表示部４が更に軸Ａ回りに回転することが規制されている。
【００３３】
上述したように、本実施例に係るディジタルカメラ１は、画像表示部４が旋回ブラケット５に対して相対的に回転することにより、画像表示部４は軸Ａ回りに回動することができる。また、旋回ブラケット５が固定ブラケット６に対して相対的に回転することにより、画像表示部４は軸Ｂ回りに回動することができる。
【００３４】
また、同時回転規制機構８は、画像表示部４が軸Ａ及び軸Ｂ回りに同時に回転することを規制することにより、ユーザの所望の回転軸回りに画像表示部４が回転するため、画像表示部４の位置調整を容易に行うことができる。
【００３５】
さらに、回転規制機構９が旋回ブラケット６の回転範囲を規制することにより、画像表示部４の回り過ぎが抑制されるため、画像表示部４の位置調整を容易に行うことができる。
【００３６】
上述した実施例においては、画像表示部２をカメラ本体２の長手方向と平行な軸Ａ回りに回転させ、旋回ブラケット５をカメラ本体２の短手方向と平行な軸Ｂ回りに回転させているが、画像表示部２を軸Ｂ回りに回転させ、旋回ブラケット５を軸Ｂ回りに回転させる構造にしても構わない。
【００３７】
なお、画像表示部及び旋回るブラケットの回転角度は９０度に限定されず、例えば、８０度や１００度であっても構わない。
【００３８】
なお、本発明は、本発明の精神を逸脱しない限り種々の改変をなすことができ、そして、本発明が該改変されたものにも及ぶことは当然である。
【符号の説明】
【００３９】
１  ・・・  ディジタルカメラ
２  ・・・  カメラ本体
２ａ・・・  撮像レンズ
３  ・・・  電子ビューファイダー
４  ・・・  画像表示部
４１・・・  筐体
４２・・・  観察窓
４３・・・  嵌入部
４４・・・  軸部
５  ・・・  旋回ブラケット
５１・・・  （旋回ブラケットの）孔
５２・・・  切欠部
５３・・・  軸支部
５４・・・  ストッパピン
６  ・・・  固定ブラケット
６１・・・  （固定ブラケットの）孔
６２・・・  凹部
６３・・・  ストッパ溝
７１・・・  ネジ
７２・・・  ナット
８  ・・・  同時回転規制機構
９  ・・・  過回転規制機構
【要約】
【課題】ローアングル撮影の際に、ディジタルカメラの縦横の向きにかかわらず電子ビューファインダーを覗いて撮像画像を容易に確認可能なディジタルカメラを提供する。
【解決手段】ディジタルカメラ１は、撮像レンズ２ａを有するカメラ本体２と、撮像レンズ２ａによる撮像画像をユーザに観察させる電子ビューファインダー３と、を備えている。電子ビューファインダー３は、撮像画像を表示する画像表示部４と、画像表示部３１を軸Ａ回りに回転可能に支持する旋回ブラケット５と、カメラ本体部２と旋回ブラケット５とを連結し、旋回ブラケット５を軸Ｂ回りに回転可能に支持する固定ブラケット６と、を備えている。
【選択図】図１【図１】
0005848484.tif 000002
【図２】
0005848484.tif 000003
【図３】
0005848484.tif 000004
【図４】
0005848484.tif 000005
【図５】
0005848484.tif 000006
【図６】
0005848484.tif 000007
【図７】
0005848484.tif 000008
【図８】
0005848484.tif 000009
【図９】
0005848484.tif 000010